(57)【特許請求の範囲】
【請求項１】
左眼画像データ及び右眼画像データに基づいて３次元画像同期信号を生成し、前記３次元画像同期信号に同期されたデジタル形態の左眼シャッタ制御データ及び右眼シャッタ制御データを生成するタイミング制御部と、
前記左眼画像データ及び前記右眼画像データを用いて３次元画像を表示する表示パネルと、
前記左眼シャッタ制御データ及び前記右眼シャッタ制御データを変調してシャッタ制御信号を生成する送信器と、
前記シャッタ制御信号に基づいて左眼シャッタ及び右眼シャッタの開閉を制御する受信器と、を含み、
前記タイミング制御部は、
前記左眼画像データ及び右眼画像データを受信し、前記左眼画像データ及び右眼画像データに基づいて３次元画像同期信号を生成する同期信号生成部と、
前記左眼シャッタ制御データ及び前記右眼シャッタ制御データが記憶されたメモリと、を含み、
前記タイミング制御部は、前記３次元画像同期信号がハイレバルであるとき、前記左眼シャッタ制御データを読み出し、前記３次元画像同期信号がローレベルであるとき、前記右眼シャッタ制御データを読み出し、
前記左眼シャッタ制御データは、左眼シャッタのオープンに対応する左眼オープンデータ及び前記左眼シャッタのオープン時間の制御に対応する左眼シャッタオープン時間制御データを含み、
前記右眼シャッタ制御データは、右眼シャッタのオープンに対応する右眼オープンデータ及び前記右眼シャッタのオープン時間の制御に対応する右眼シャッタオープン時間制御データを含み、
前記タイミング制御部は、前記３次元画像同期信号がハイレバルであるハイ区間の第１タイミングで左眼オープンデータを読み出し、前記第１タイミングから遅延された第２タイミングに左眼シャッタオープン時間制御データを読み出し、前記３次元画像同期信号がローレベルであるロー区間の第３タイミングで右眼オープンデータを読み出し、前記第３タイミングから遅延された第４タイミングで右眼シャッタオープン時間制御データを読み出し、
前記左眼オープンデータ及び前記右眼オープンデータの各々は、少なくとも第１ビット、第２ビット及び第３ビットを含み、前記左眼シャッタオープン時間制御データ及び前記右眼シャッタオープン時間制御データの各々は、第４ビット、第５ビット、第６ビット、第７ビット及び第８ビットを含み、
前記第１ビットは、シャッタ制御識別情報を含み、
前記第２ビットは、左眼シャッタまたは右眼シャッタの少なくとも一つの識別情報を含み、
前記第３ビットは、左眼シャッタの開閉または右眼シャッタの開閉の少なくとも一つの識別情報を含み、
前記第４ビット、第５ビット、第６ビット、第７ビット及び第８ビットは、シャッタのオープン時間情報である
ことを特徴とする表示システム。
【請求項２】
前記送信器は、
前記左眼シャッタ制御データ及び右眼シャッタ制御データ各々のパルス幅を変調し、前記３次元画像同期信号に同期して前記左眼シャッタ制御信号及び右眼シャッタ制御信号を生成する変調部と、
前記左眼シャッタ制御信号及び右眼シャッタ制御信号を前記受信器に送信する送信部と、を含むことを特徴とする請求項１に記載の表示システム。
【請求項３】
前記送信器は、
前記左眼シャッタ制御データ及び前記右眼シャッタ制御データ各々を振幅遷移変調、周波数遷移変調、及び位相遷移変調のうちいずれか一つを用いて変調し、前記３次元画像同期信号に同期して前記シャッタ制御信号の前記左眼シャッタ制御信号及び右眼シャッタ制御信号を生成する変調部と、
前記左眼シャッタ制御信号及び右眼シャッタ制御信号を前記受信器に送信する送信部と、を含むことを特徴とする請求項１に記載の表示システム。
【請求項４】
前記受信器は、
前記シャッタ制御信号の前記左眼シャッタ制御信号及び右眼シャッタ制御信号を受信する受信部と、
前記左眼シャッタ制御信号及び前記右眼シャッタ制御信号をそれぞれ前記左眼シャッタ制御データ及び右眼シャッタ制御データで復元する復元部と、を含み、
前記受信器は、前記左眼シャッタ制御データ及び右眼シャッタ制御データのそれぞれに基づいて前記シャッタメガネの左眼シャッタ及び右眼シャッタを制御することを特徴とする請求項１に記載の表示システム。
【発明の詳細な説明】
【技術分野】
【０００１】
本発明はシャッタメガネ制御方法及びそれを遂行する表示システムに関し、より詳細には、表示装置に用いるシャッタメガネ制御方法及びそれを遂行する表示システムに関する。
【背景技術】
【０００２】
一般的に表示装置は２次元平面画像を表示する。最近ゲーム、映画などのような分野で３次元立体画像に対する需要が増加し、３次元立体画像を表示する表示装置が開発されている。
【０００３】
３次元立体画像は、人の両目を通した両眼時差（ｂｉｎｏｃｕｌａｒ  ｐａｒａｌｌａｘ）を利用して立体画像を表示する。両眼時差を利用する方式として、メガネ方式と非メガネ方式（ａｕｔｏ−ｓｔｅｒｅｏｓｃｏｐｉｃ）がある。メガネ方式は両眼に各々青色と赤色の色眼鏡をかけるエノグロプ（ａｎａｇｌｙｐｈ）方式と、時間分割された左眼画像と右眼画像を周期的に表示し、この周期に同期された左眼シャッタ及び右眼シャッタを開閉するシャッタメガネを利用するシャッタメガネ（Ｓｈｕｔｔｅｒ  Ｇｌａｓｓ）方式などがある。
【０００４】
シャッタメガネ方式の場合、シャッタメガネの左眼シャッタ及び右眼シャッタが、左眼画像及び右眼画像に同期されるため、表示装置にはシャッタメガネで信号を無線送信するための送信器が接続され、シャッタメガネには信号を無線受信するための受信器が含まれている。
【０００５】
一般的に、送信器は赤外線（ＩＲ）送信器であり、受信器は赤外線受信器である。送信器は、表示装置のタイミング制御部に接続されてタイミング制御部から３次元画像同期信号に同期された左眼シャッタ制御信号及び右眼シャッタ制御信号を生成して送信する。一方、受信器は左眼シャッタ制御信号及び右眼シャッタ制御信号を受信して左眼シャッタ及び右眼シャッタを開閉する。
【０００６】
しかし、左眼シャッタ制御信号及び右眼シャッタ制御信号は左眼シャッタ及び右眼シャッタをオープン（ｏｐｅｎ）という信号のみを含み、左眼画像と右眼画像間のクロストークを発生させる、或いは、複雑なパルス幅パターンを含んでシャッタメガネの認識誤りを発生させる。これによって、表示装置の視覚的な特性が悪化される。
【先行技術文献】
【特許文献】
【０００７】
【特許文献１】米国特許６，０５７，８１１号明細書
【特許文献２】米国特許６，５２９，１７５号明細書
【特許文献３】特開２０１０−０９３７４０号公報
【特許文献４】韓国特許出願公開２００２-００２７４１３号明細書
【発明の概要】
【発明が解決しようとする課題】
【０００８】
本発明は上記課題に鑑みてなされたものであって、本発明の目的は、表示装置の視覚的な特性を向上させるシャッタメガネ制御方法を提供することにある。
【０００９】
本発明の他の目的は、シャッタメガネ制御方法を遂行する表示システムを提供することにある。
【課題を解決するための手段】
【００１０】
本発明の一実施形態に係るシャッタメガネ制御方法を遂行するための表示システムは、タイミング制御部、表示パネル、送信器、及びシャッタメガネを含む。前記タイミング制御部は、左眼画像データ及び右眼画像データに基づいて３次元画像同期信号を生成し、前記３次元画像同期信号に同期されたデジタル形態の左眼シャッタ制御データ及び右眼シャッタ制御データを生成する。前記表示パネルは、前記左眼画像データ及び前記右眼画像データを用いて３次元画像を表示する。前記送信器は、前記左眼シャッタ制御データ及び前記右眼シャッタ制御データを変調してシャッタ制御信号を生成する。前記シャッタメガネは、前記シャッタ制御信号に基づいて左眼シャッタ及び右眼シャッタの開閉を制御する受信器を含む。
【００１１】
前記タイミング制御部は、同期信号生成部及びメモリを含む。前記同期信号生成部は、前記左眼画像データ及び前記右眼画像データを受信し、前記左眼画像データ及び前記右眼画像データに基づいて３次元画像同期信号を生成する。前記メモリは、前記左眼シャッタ制御データ及び右眼シャッタ制御データを記憶する。前記タイミング制御部は、前記３次元画像同期信号がハイレバルであるとき、前記左眼シャッタ制御データを読み出し、前記３次元画像同期信号がローレベルであるとき、前記右眼シャッタ制御データを読み出す。
【００１２】
前記左眼シャッタ制御データは、左眼シャッタのオープンに対応する左眼オープンデータ及び前記左眼シャッタのクローズに対応する左眼クローズデータをさらに含む。前記タイミング制御部は、前記３次元画像同期信号がハイレベルであるハイ区間の第１タイミングで前記左眼オープンデータを読み出し、前記第１タイミングから遅延された第２タイミングで前記左眼クローズデータを読み出す。
【００１３】
前記右眼シャッタ制御データは、右眼シャッタのオープンに対応する右眼オープンデータ及び前記右眼シャッタのクローズに対応する右眼クローズデータを含む。前記タイミング制御部は、前記３次元画像同期信号がローレベルであるロー区間の第３タイミングで前記右眼オープンデータを読み出し、前記第３タイミングから遅延された第４タイミングで前記右眼クローズデータを読み出す。
【００１４】
前記左眼シャッタ制御データは、左眼シャッタのオープンに対応する左眼オープンデータ及び前記左眼シャッタのオープン時間の制御に対応する左眼シャッタオープン時間制御データを含み、前記右眼シャッタ制御データは、右眼シャッタのオープンに対応する前記右眼オープンデータ及び前記右眼シャッタのオープン時間の制御に対応する右眼シャッタオープン時間制御データを含む。前記タイミング制御部は、前記３次元画像同期信号がハイレバルであるハイ区間の第１タイミングで左眼オープンデータを読み出し、前記第１タイミングから遅延された第２タイミングで左眼シャッタオープン時間制御データを読み出し、前記３次元画像同期信号がローレベルであるロー区間の第３タイミングで右眼オープンデータを読み出し、前記第３タイミングから遅延された第４タイミングで右眼シャッタオープン時間制御データを読み出す。
【発明の効果】
【００１５】
本発明によれば、タイミング制御部が外部装置から供給されたデジタル形態のシャッタ制御データを送信器に送信することによって、送信器が単調なシャッタ制御信号を生成することができる。
【００１６】
本発明によれば、送信器が単調なシャッタ制御信号を受信器で送信することによって、受信器を単純な構造で形成することができる。
【００１７】
本発明によれば、シャッタ制御データを用いて左眼シャッタ及び右眼シャッタの開閉を制御することによって、左眼シャッタと右眼シャッタが重なってオープンされることを防止することができる。
【００１８】
本発明によれば、シャッタ制御データを用いて左眼シャッタ及び右眼シャッタのオープン及びオープン時間を制御することによって、左眼シャッタ及び右眼シャッタのオープン時間を制御し視覚的な特性を向上させることができる。従って、左眼シャッタ及び右眼シャッタのオープン時間を制御して左眼シャッタ及び右眼シャッタのオープンタイミングの最適化を達成することができる。
【図面の簡単な説明】
【００１９】
【図１】本発明の一実施形態に係るシャッタメガネ制御方法を遂行する表示システムを示すブロック図である。
【図２】図１のタイミング制御部、送信器、及び受信器をそれぞれ示すブロック図である。
【図３】図１の表示システムに係る３次元画像同期信号及びシャッタ制御信号を示すタイミング図である。
【図４】図１の表示システムに係るシャッタメガネ制御方法を説明するフローチャートである。
【図５】本発明の他の実施形態に係る３次元画像同期信号及びシャッタ制御信号を示すタイミング図である。
【発明を実施するための形態】
【００２０】
以下、添付した図面を参照して、本発明の望ましい実施形態をより詳細に説明する。
【００２１】
図１は本発明の一実施形態に係るシャッタメガネ制御方法を遂行するための表示システムのブロック図である。
【００２２】
図１を参照すれば、表示システムは表示装置１００、送信器２００、及びシャッタメガネ３００を含む。表示システムは表示装置１００で表示される３次元画像をシャッタメガネ３００を用いて見るためのシステムである。
【００２３】
表示装置１００は表示パネル１１０、タイミング制御部１２０、表示駆動部１３０及び光源ユニット１４０を含む。表示装置１００は２次元画像及び３次元画像を表示する。
【００２４】
表示パネル１１０は第１方向で延びるゲートラインＧＬ、第１方向と交差する第２方向で延びたデータラインＤＬ及びゲートラインＧＬ及びデータラインＤＬから送信された信号によって駆動される画素を含む。画素はゲートラインＧＬ及びデータラインＤＬに電気的に接続されたスイッチング素子ＳＷ、スイッチング素子ＳＷに接続された液晶キャパシタＣｌｃ及び液晶キャパシタＣｌｃに接続されたストレージキャパシタＣｓｔを含む。
【００２５】
タイミング制御部１２０は、表示パネル１１０に表示される画像を制御するためのタイミング信号を表示駆動部１３０に供給する。例えば、タイミング制御部１２０は、外部装置から３次元画像データＬ，Ｒ、制御信号Ｖ，Ｈ、及びシャッタ制御データＬＳ＿ＤＡＴＡ，ＲＳ＿ＤＡＴＡを受信して、表示駆動部１３０及び送信器２００に送信する。
【００２６】
シャッタ制御データＬＳ＿ＤＡＴＡ，ＲＳ＿ＤＡＴＡは、シャッタメガネ３００の左眼シャッタを左眼画像データが表示パネル１１０に表示される間、オープンする左眼シャッタ制御データＬＳ＿ＤＡＴＡ及びシャッタメガネ３００の右眼シャッタを右眼画像データが表示パネル１１０に表示する間、オープンする右眼シャッタ制御データＲＳ＿ＤＡＴＡを含む。左眼シャッタ制御データＬＳ＿ＤＡＴＡ及び右眼シャッタ制御データＲＳ＿ＤＡＴＡの各々はデジタル形態のビット列を含む。
【００２７】
表示駆動部１３０はゲート駆動部１３１及びデータ駆動部１３２を含む。ゲート駆動部１３１は複数のゲート駆動チップを含む。ゲート駆動部１３１は、ゲートオン／ゲートオフ信号を表示パネル１１０のゲートラインＧＬに送信する。
【００２８】
データ駆動部１３２は複数のデータ駆動チップを含む。データ駆動部１３２は左眼画像データＬ及び右眼画像データＲを表示パネルのデータラインＤＬに送信する。
【００２９】
光源ユニット１４０は表示パネル１１０に光を照射する。光源ユニット１４０はタイミング制御部１２０から左眼画像データＬ及び右眼画像データＲに基づいて光源の駆動を制御する信号が送信される。
【００３０】
送信器２００は表示装置１００に外装されて表示装置１００にケーブルを通じて電気的に接続される、または、表示装置１００に内蔵されて表示装置１００に電気的に接続される。送信器２００はタイミング制御部１２０からシャッタ制御データＬＳ＿ＤＡＴＡ，ＲＳ＿ＤＡＴＡ、及び、３次元画像同期信号を送信してシャッタ制御信号ＳＣＳをシャッタメガネ３００に無線送信する。シャッタ制御信号ＳＣＳは左眼シャッタ制御信号ＬＳＳ及び右眼シャッタ制御信号ＲＳＳを含む。
【００３１】
シャッタメガネ３００は左眼シャッタ３１０、右眼シャッタ３２０、及び受信器３３０を含む。受信器３３０は送信器２００から送信されるシャッタ制御信号ＳＣＳを受信する。
【００３２】
図２は、図１のタイミング制御部、送信器及び受信器それぞれを示すブロック図である。図３は、図２の３次元画像同期信号及びシャッタ制御信号を示すタイミング図である。
【００３３】
図２及び図３を参照すれば、タイミング制御部１２０は同期信号生成部１２１及びメモリ１２２を含むことができる。
【００３４】
同期信号生成部１２１は、外部装置から送信される左眼画像データＬ、右眼画像データＲ、及び垂直同期信号Ｖを受信する。同期信号生成部１２１は左眼画像データＬ、右眼画像データＲ、及び垂直同期信号Ｖに基づいて３次元同期信号Ｓｙｎｃを生成する。例えば、３次元同期信号Ｓｙｎｃは、６０Ｈｚで駆動される。３次元同期信号Ｓｙｎｃは左眼画像データＬが表示される時ハイレバルを有し、右眼画像データＲが表示される時ローレベルを有する。
【００３５】
メモリ１２２は、外部装置からデジタル形態の左眼シャッタ制御データＬＳ＿ＤＡＴＡ及び右眼シャッタ制御データＲＳ＿ＤＡＴＡを受信して記憶する。タイミング制御部１２０は、３次元同期信号Ｓｙｎｃがハイレバルである時、左眼シャッタ制御データＬＳ＿ＤＡＴＡを読み出し、３次元同期信号Ｓｙｎｃがローレベルである時、右眼シャッタ制御データＲＳ＿ＤＡＴＡを読み出す。
【００３６】
例えば、タイミング制御部１２０は、３次元同期信号Ｓｙｎｃがハイ区間ＨＩＧＨの第１タイミングｔ１に左眼シャッタ３１０のオープンに対応する左眼オープンデータを読み出す。また、タイミング制御部１２０は、ハイ区間ＨＩＧＨの第２タイミングｔ２に左眼シャッタ３１０のクローズに対応する左眼クローズデータを読み出す。第２タイミングｔ２は、第１タイミングｔ１から１時間遅延される。
【００３７】
一方、タイミング制御部１２０は３次元同期信号Ｓｙｎｃが、ローレベルのロー区間ＬＯＷの第３タイミングｔ３に右眼シャッタ３２０のオープンに対応する右眼オープンデータを読み出す。また、タイミング制御部１２０は、ロー区間ＬＯＷの第４タイミングｔ４に、右眼シャッタ３２０のクローズに対応する右眼クローズデータを読み出す。第４タイミングｔ４は第３タイミングｔ３から２時間遅延される。
【００３８】
左眼オープンデータ及び右眼オープンデータ並びに左眼クローズデータ及び右眼クローズデータの各々は、複数のビットを含むデータ値を有する。例えば、左眼オープンデータ及び右眼オープンデータ並びに左眼クローズデータ及び右眼クローズデータの各々は、第１〜第３ビットを含む少なくとも３ビットデータである。
【００３９】
第１ビットはシャッタ制御入力情報を有し、第２ビットは、左眼または右眼シャッタ識別情報を有し、第３ビットは開閉識別情報を有する。第１ビットが「０」ならば、第１ビットのデータはシャッタ制御のための入力情報を有さず、第１ビットが「１」ならば、第１ビットのデータはシャッタ制御の入力情報を有する。第２ビットが「０」ならば、第２ビットのデータは左眼シャッタ用であり、第２ビットが「１」ならば第２ビットのデータは右眼シャッタ用である。第３ビットが「０」ならば、第３ビットのデータは左眼シャッタまたは右眼シャッタのオープンに対応し、第３ビットが「１」ならば、第３ビットのデータは左眼シャッタまたは右眼シャッタのクローズに対応する。
【００４０】
例えば、データの値が「１００」ならば、データは左眼シャッタ３１０のオープンに対応する左眼オープンデータである。データの値が「１０１」ならば、データは左眼シャッタ３１０のクローズに対応する左眼クローズデータである。データの値が「１１０」ならば、データは右眼シャッタ３２０のオープンに対応する右眼オープンデータである。データの値が「１１１」ならば、データは右眼シャッタ３２０のクローズに対応する右眼クローズデータである。データの値を「１００、１０１、１１０、１１１」を挙げて例示したが、データの値はこれに限定されるものではない。
【００４１】
送信器２００は、赤外線（ＩＲ）送信器または、ラジオ周波数（ＲＦ）送信器であってもよい。送信器２００は変調部２１０及び送信部２２０を含む。
【００４２】
送信器２００が赤外線送信器の場合、変調部２１０は、左眼シャッタ制御データＬＳ＿ＤＡＴＡ及び右眼シャッタ制御データＲＳ＿ＤＡＴＡをパルス幅変調（ＰＷＭ）とする。変調部２１０は左眼シャッタ制御データＬＳ＿ＤＡＴＡ及び右眼シャッタ制御データＲＳ＿ＤＡＴＡのビットが「１」ならば２０μｓの幅を有するパルスを生成する。変調部２１０はパルス幅変調した左眼及び右眼シャッタ制御データＬＳ＿ＤＡＴＡ，ＲＳ＿ＤＡＴＡの各々を３次元画像同期信号に同期して左眼シャッタ制御信号ＬＳＳ及び右眼シャッタ制御信号ＲＳＳを生成する。送信部２２０は、左眼シャッタ制御信号ＬＳＳ及び右眼シャッタ制御信号ＲＳＳを受信器３３０に送信する。
【００４３】
これと異なって、送信器２００がラジオ周波数送信器の場合、変調部２１０は、左眼及び右眼シャッタ制御データＬＳ＿ＤＡＴＡ，ＲＳ＿ＤＡＴＡを振幅遷移変調（ＡＳＫ）したり、周波数遷移変調（ＦＳＫ）したり、または、位相遷移変調（ＰＳＫ）したりする。変調部２１０は左眼シャッタ制御データＬＳ＿ＤＡＴＡ及び右眼シャッタ制御データＲＳ＿ＤＡＴＡを互いに異なる第１搬送周波数及び第２搬送周波数の各々にのせて、変調した左眼シャッタ制御データＬＳ＿ＤＡＴＡ及び右眼シャッタ制御データＲＳ＿ＤＡＴＡの各々を３次元画像同期信号に同期して左眼シャッタ制御信号ＬＳＳ及び右眼シャッタ制御信号ＲＳＳを生成する。
【００４４】
受信器３３０は赤外線（ＩＲ）受信器、または、ラジオ周波数（ＲＦ）受信器であってもよい。受信器３３０は受信部３３１及び復元部３３２を含む。
【００４５】
受信部３３１は左眼シャッタ制御信号ＬＳＳ及び右眼シャッタ制御信号ＲＳＳを送信器２００から受信する。復元部３３２は左眼シャッタ制御信号ＬＳＳ及び右眼シャッタ制御信号ＲＳＳを復調及び復号して遠視の左眼シャッタ制御データＬＳ＿ＤＡＴＡ及び右眼シャッタ制御データＲＳ＿ＤＡＴＡで復元する。受信器３３０は左眼シャッタ制御データＬＳ＿ＤＡＴＡ及び右眼シャッタ制御データＲＳ＿ＤＡＴＡに基づいてシャッタメガネ３００の左眼シャッタ３１０及び右眼シャッタ３２０を開閉する。
【００４６】
図４は、図１の表示システムに係るシャッタメガネ制御方法を説明するフローチャートである。
【００４７】
図２及び図４を参照すれば、タイミング制御部１２０の同期信号生成部１２１は左眼画像データＬ、右眼画像データＲ、及び垂直同期信号Ｖを受信し、左眼画像データＬ、右眼画像データＲ、及び垂直同期信号Ｖに基づいて３次元画像同期信号Ｓｙｎｃを生成する（ステップＳ１１０）。
【００４８】
続いて、タイミング制御部１２０は３次元画像同期信号Ｓｙｎｃがハイレバルである時タイミング制御部１２０のメモリ１２２に記憶された左眼シャッタ制御データＬＳ＿ＤＡＴＡを読み出して送信器２００に送信し、３次元画像同期信号Ｓｙｎｃがローレベルであるとき、メモリ１２２に記憶された右眼シャッタ制御データＲＳ＿ＤＡＴＡを読み出して送信器２００に送信する（ステップＳ１２０）。
【００４９】
送信器２００の変調部２１０は３次元画像同期信号Ｓｙｎｃがハイレバルであるとき、左眼シャッタ制御データＬＳ＿ＤＡＴＡを受信して変調して、３次元画像同期信号Ｓｙｎｃがローレベルであるとき、右眼シャッタ制御データＲＳ＿ＤＡＴＡを受信して変調する。送信器２００の変調部２１０は変調した左眼シャッタ制御データＬＳ＿ＤＡＴＡ及び右眼シャッタ制御データＲＳ＿ＤＡＴＡを３次元画像同期信号Ｓｙｎｃに同期させて、左眼シャッタ制御信号ＬＳＳ及び右眼シャッタ制御信号ＲＳＳを生成する（ステップＳ２１０）。
【００５０】
送信器２００の送信部２２０は、左眼シャッタ制御信号ＬＳＳ及び右眼シャッタ制御信号ＲＳＳを送信する（ステップＳ２２０）。
【００５１】
受信器３３０の受信部３３１は、送信器２００から左眼シャッタ制御信号ＬＳＳ及び右眼シャッタ制御信号ＲＳＳを受信する（ステップＳ３１０）。
【００５２】
受信器３３０の復元部３３２は、左眼シャッタ制御信号ＬＳＳ及び右眼シャッタ制御信号ＲＳＳを復調して左眼シャッタ制御データＬＳ＿ＤＡＴＡ及び右眼シャッタ制御データＲＳ＿ＤＡＴＡを復元する（ステップＳ３２０）。受信器３３０の復元部３３２は左眼シャッタ制御データＬＳ＿ＤＡＴＡ及び右眼シャッタ制御データＲＳ＿ＤＡＴＡを復号して左眼シャッタ３１０及び右眼シャッタ３２０を開閉する（ステップＳ３３０）。
【００５３】
図１に示した本実施形態によれば、送信器２００は左眼及び右眼シャッタの開閉による制御に対応してデジタル形態の左眼シャッタ制御データ及び右眼シャッタ制御データを受信して単調なシャッタ制御信号を得ることによって、シャッタメガネの認識誤りを防止することができる。
【００５４】
図５は、本発明の他の実施形態に係る３次元画像同期信号及びシャッタ制御信号を示すタイミング図である。
【００５５】
図５に示した本実施形態に係る表示システムは図３のタイミング図を除き、図１に示した実施形態に係る表示システムと実質的に同一であるため、図１に示した本実施形態に係る表示システムと同じ構成要素は同じ図面符号を付し、繰り返される説明は省略する。
【００５６】
図５を参照すれば、タイミング制御部１２０は３次元同期信号Ｓｙｎｃがハイレバルのハイ区間ＨＩＧＨの第１タイミングｔ１に左眼シャッタ３１０のオープンに対応する左眼オープンデータを読み出す。続いて、タイミング制御部１２０はハイ区間ＨＩＧＨの第２タイミングｔ２に左眼シャッタ３１０のオープン時間を制御する左眼オープン時間制御データを読み出す。第２タイミングｔ２は第１タイミングｔ１から１時間遅延される。
【００５７】
一方、タイミング制御部１２０は３次元同期信号Ｓｙｎｃがローレベルのロー区間ＬＯＷの第３タイミングｔ３に右眼シャッタ３２０のオープンに対応する右眼オープンデータを読み出す。続いて、タイミング制御部１２０は３次元同期信号Ｓｙｎｃがローレベルのロー区間ＬＯＷの第４タイミングｔ４に右眼シャッタ３２０のオープン時間の制御に対応する右眼オープン時間制御データを読み出す。第４タイミングｔ４は第３タイミングｔ３から２時間遅延される。
【００５８】
左眼オープンデータ及び右眼オープンデータ及び左眼オープン時間制御データ及び右眼オープン時間制御データの各々は複数のビットを含むデータ値を有する。例えば、左眼オープンデータ及び右眼オープンデータの各々は第１〜第３ビットを少なくとも含む３ビットデータであり、左眼オープン時間制御データ及び右眼オープン時間制御データの各々は第４〜第８ビットを少なくとも含む５ビットデータである。
【００５９】
第１ビットは、シャッタ制御入力情報を有し、第２ビットは左眼シャッタ識別情報、右眼シャッタ識別情報を有し、第３ビットは開閉識別情報を有する。一方、第４ビット〜第８ビットはシャッタのオープン時間情報を有する。
【００６０】
第１ビットが「０」ならば、第１ビットのデータはシャッタ制御のための入力情報を有さず、第１ビットが「１」ならば、第１ビットのデータはシャッタ制御のための入力情報を有する。第２ビットが「０」ならば、第２ビットのデータは左眼シャッタ用であり、第２ビットが「１」ならば第２ビットのデータは右眼シャッタ用である。第３ビットが「０」ならば、第３ビットのデータは、左眼シャッタまたは右眼シャッタのオープンに対応し、第３ビットが「１」ならば、第３ビットのデータは、左眼シャッタまたは右眼シャッタのクローズに対応する。
【００６１】
第４〜第８ビットはクロストーク（crosstalk）等が少なく視認されるように左眼シャッタ３１０及び右眼シャッタ３２０それぞれのオープン時間を適切に設定する。左眼シャッタ３１０及び右眼シャッタ３２０の開閉を制御する。
【００６２】
例えば、データの値が「１０００１０１０」ならば、データは左眼シャッタ３１０が第３時間の間オープンに対応する左眼オープンデータ及び左眼オープン時間制御データである。一方、データの値が「１１００１０１０」ならば、データは右眼シャッタ３２０が第３時間の間オープンに対応する右眼オープンデータ及び右眼オープン時間制御データである。データの値を「１０００１０１０、１１００１０１０」を挙げて例示したが、データの値はこれに限定されるものではない。
【００６３】
図５に示した本実施形態によれば、送信器２００は、シャッタのオープン及びオープン時間を制御するデジタル形態の左眼シャッタ制御データ及び右眼シャッタ制御データを受信し、単調なシャッタ制御信号を得ることによって、シャッタメガネの認識誤りを防止することができる。
【００６４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００６５】
本発明によれば、タイミング制御部が外部装置から供給されたデジタル形態のシャッタ制御データを送信器に送信することによって、送信器が単調なシャッタ制御信号を生成することができる。
【００６６】
送信器が単調なシャッタ制御信号を受信器で送信することによって、受信器を単純な構造で形成することができる。
【００６７】
シャッタ制御データを用いて左眼シャッタ及び右眼シャッタの開閉を制御することによって、左眼シャッタと右眼シャッタが重なってオープンされることを防止することができる。
【００６８】
シャッタ制御データを用いて左眼シャッタ及び右眼シャッタのオープン及びオープン時間を制御することによって、左眼シャッタ及び右眼シャッタのオープン時間を制御して視覚的な特性を向上させることができる。従って、左眼シャッタ及び右眼シャッタのオープン時間を制御して左眼シャッタ及び右眼シャッタのオープンタイミングの最適化を達成することができる。
【符号の説明】
【００６９】
１００…表示装置、１１０…表示パネル、１２０…タイミング制御部、１３０…パネル駆動部、１４０…光源ユニット、２００…送信器、２１０…変調部、２２０…送信部、３００…シャッタメガネ、３１０…左眼シャッタ、３２０…右眼シャッタ、３３０…受信器。
【図１】
0005956174.tif 000002
【図２】
0005956174.tif 000003
【図３】
0005956174.tif 000004
【図４】
0005956174.tif 000005
【図５】
0005956174.tif 000006